(57)【要約】【課題】  遊技盤の反りを防止し、軽量化を図る。【解決手段】  遊技盤１は、ベニヤ合板１０ａ〜１０ｃと発泡樹脂層１２ａ、１２ｂとを交互に積層した構造をしている。遊技釘を打ち込むと、遊技釘の軸部は、ベニヤ合板１０ａ、１０ｂと発泡樹脂層１２ａとによって強固に保持される。発泡樹脂層１２ａ、１２ｂを設けた分だけ軽量化される。ベニヤ合板１０ａ、１０ｂ、１０ｃの板厚が薄いから反りがなく、発泡樹脂層１２ａ、１２ｂも反りはない。従って、遊技盤１にも反りが生じない。さらに、この積層構造であるから、ルータ加工にて賞装置等の取り付け穴を設けることができる。【選択図】  図１
2006346092.tif 000002
【特許請求の範囲】
【請求項１】
合板層と発泡樹脂層とが含まれる複数の層からなる積層構造であることを特徴とする遊技盤。
【請求項２】
請求項１記載の遊技盤において、
２つの前記合板層の間に１つの前記発泡樹脂層を配した層構成が、前記積層構造中に少なくとも１組は含まれている
ことを特徴とする遊技盤。
【請求項３】
請求項１又は２記載の遊技盤において、
該遊技盤の表面となる装飾シートが貼着される層は前記合板層である
ことを特徴とする遊技盤。
【発明の詳細な説明】
【技術分野】
【０００１】
本発明は、弾球遊技機の技術分野に属し、詳しくは弾球遊技機の遊技盤に関する。
【背景技術】
【０００２】
パチンコ機等の弾球遊技機には遊技盤が必須である。
遊技盤には遊技球の進路を変化させるための遊技釘が打ち付けられるので、従来使用されていた遊技盤のほとんどが合板製である。
【０００３】
また、一部には合成樹脂製の遊技盤も使用されていた。例えば特開平８−２４３２１６号公報（特許文献１）や特開平１１−０９９２４４号公報（特許文献２）には、発泡樹脂により遊技盤を成形することで、釘打ち可能にする技術が開示されている。
【特許文献１】特開平８−２４３２１６号公報
【特許文献２】特開平１１−０９９２４４号公報
【発明の開示】
【発明が解決しようとする課題】
【０００４】
合板製の遊技盤の場合、天然物である木材を原料としていること、また原木を周に沿って薄くそぎ取って板状にする加工方法の関係もあって、反りの発生を防ぎきれなかった。また、重量が比較的大きいという問題もあった。
【０００５】
一方、発泡樹脂による遊技盤の場合、打ち付けられた遊技釘を保持する力が不足するという欠点がある。
また、合板とは違ってルータ加工に適さないので、入賞装置等の取り付け穴を成形時に設けなければならなかった。合板製の遊技盤の場合、どのようにルータ加工するかで各機種に対応させるので、ルータ加工前の板材の状態では汎用である。しかし、発泡成形時に入賞装置等の取り付け穴を設けるので、その機種にしか使用できない（汎用性は無い）、という問題がある。
【０００６】
本発明は、遊技釘を保持する力が強く、ルータ加工するまでは汎用であるという合板製の遊技盤の利点と、軽量で反りがないという合成樹脂製の遊技盤の利点を共に備える遊技盤を提供することを目的としている。
【課題を解決するための手段】
【０００７】
請求項１記載の遊技盤は、合板層と発泡樹脂層とが含まれる複数の層からなる積層構造であるので、遊技釘を保持する力は十分にあり、合板製の遊技盤に比べて軽量でもある。
また、発泡樹脂層を設ける分だけ合板層が占める肉厚を薄くでき、しかも、合板層を複数にすれば各合板層の板厚をより薄くできる。合板の素材にもよるが、合板層が薄くなれば、ほとんど反りがない。そして、発泡樹脂層は実質的に均質であり、反りは生じない。従って、合板層と発泡樹脂層とが含まれる積層構造を採用することにより、遊技盤に反りが生じるのを防止できる。
【０００８】
しかも、合板層と発泡樹脂層とが含まれる積層構造を採用しているので、ルータ加工にて、表示装置や入賞装置等の取り付け穴を設けることができ、合板製の遊技盤と同様に汎用性がある。
【０００９】
なお、合板層は周知のベニヤ合板を用いればよいが、他種類の合板でも構わない。その板厚は、上述の反り防止の点から６ｍｍ以下、好ましくは４ｍｍ以下である。一方、遊技釘の保持力の点からは薄くない方がよく、積層構造中の合板層の枚数にもよるが、２ｍｍ以上が好ましい。つまり、合板層の板厚は２〜４ｍｍが好適な範囲と言える。
【００１０】
発泡樹脂層を構成する樹脂の種類に特段の制約はないが、物理的な性質や入手の容易さ等からＡＢＳ、ポリスチレン、ポリプロピレン、ポリエチレンのいずれかを用いるとよい。
【００１１】
その板厚が厚すぎると遊技釘の保持力が不十分になるおそれがあるので、最大でも８ｍｍ、好ましいのは６ｍｍ以下である。また、積層構造中で発泡樹脂層が占める割合が大きければそれだけ軽量化できるが、やはり遊技釘の保持力の点で上限があり、板厚基準で約５０％以下（かりに遊技盤の板厚を２０ｍｍとすれば、発泡樹脂層の合計板厚が１０ｍｍ以下となる割合）が望ましい。
【００１２】
ただし、遊技釘を保持する力は、遊技釘の打ち込み長さ（尖頭部分を除いた、有効長）と、その有効長のどれだけが合板層にかかっているかによって大きく左右されるので、厳密には、この関係に基づいて合板層及び発泡樹脂層の板厚及び上記の有効長における合板層と発泡樹脂層の割合を設定する必要がある。この場合でも、上記の有効長の５０％以上が合板層（発泡樹脂層は５０％以下）にするのが好ましい。
【００１３】
発泡樹脂層は、合板層よりも剛性が劣る傾向があるので、その表裏両側に合板層を配置した構成、すなわち請求項２記載のように、２つの前記合板層の間に１つの前記発泡樹脂層を配した層構成が、前記積層構造中に少なくとも１組は含まれている構成が望ましい。
【００１４】
また、遊技盤の表面には装飾シート（いわゆるセル）が貼着されるのが普通であるが、従来の装飾シートは合板製の遊技盤に貼着するのに適した材質、構造である。従って、請求項３記載のように、遊技盤の表面となる装飾シートが貼着される層を合板層にすれば、従来の装飾シートをそのまま使用できる。
【００１５】
上述したとおり、本発明の遊技盤の積層構造は、合板層と発泡樹脂層とが主たる積層単位となるが、各積層単位同士を接着するための接着剤は当然使用される。また、他の層、例えば合成樹脂フィルムの層が存在してもよい。或いは、遊技盤の背面などに表面保護用の樹脂コーティングを施したり、樹脂を含浸させたりしてもよい。
【発明を実施するための最良の形態】
【００１６】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１は本実施例の遊技盤１の積層構造を示す模式図である。この図に示すように、遊技盤１は、ベニヤ合板１０ａ、１０ｂ、１０ｃと発泡樹脂層１２ａ、１２ｂとを交互に積層した構造をしている。すなわち、３枚のベニヤ合板１０ａ、１０ｂ、１０ｃを表裏と中心に配し、２枚の発泡樹脂層１２ａ、１２ｂそれぞれを２枚のベニヤ合板１０ａ、１０ｂ（１０ｂ、１０ｃ）で挟んで、互いに接着してある。
【００１７】
発泡樹脂層１２ａ、１２ｂは、例えばＡＢＳ樹脂を発泡させて板状にしたものが使用されており、内部構造は実質的に均質であり、反りは無い。
各ベニヤ合板１０ａ、１０ｂ、１０ｃの板厚は３ｍｍ、発泡樹脂層１２ａ、１２ｂの板厚は５ｍｍで、遊技盤１としての板厚は１９ｍｍになる。但し、遊技盤１の表面になるベニヤ合板１０ａには装飾シート（図示略）が貼着されるので、完成品の板厚は、その分だけ増加する。従って、発泡樹脂層１２ａ、１２ｂの合計板厚は１０ｍｍで、遊技盤１の板厚の約５０％になっている。
【００１８】
遊技盤１は上述の通りの積層構造であるから、一般的な遊技釘（全長約３２ｍｍ）を一般的な深さ（遊技盤１の表面からの突出高さ約１７ｍｍ）に打ち込んだ場合、遊技釘はベニヤ合板１０ａ、発泡樹脂層１２ａ、ベニヤ合板１０ｂを貫通して、その先端部が発泡樹脂層１２ｂ内に達する。このため、遊技釘の軸部は、ベニヤ合板１０ａ、１０ｂと発泡樹脂層１２ａ、１２ｂとによって保持されることになるので、遊技釘は強固に保持される。
【００１９】
また、発泡樹脂層１２ａ、１２ｂを設けた分だけ、遊技盤１中でベニヤ合板１０ａ、１０ｂ、１０ｃが占める肉厚を薄くでき、しかもベニヤ合板１０ａ、１０ｂ、１０ｃを複数層にしているので各ベニヤ合板１０ａ、１０ｂ、１０ｃの板厚を薄くできる。このため、各ベニヤ合板１０ａ、１０ｂ、１０ｃには、ほとんど反りがない。そして、発泡樹脂層１２ａ、１２ｂは実質的に均質であり、反りの無いものが使用されている。従って、遊技盤１には反りが生じない。
【００２０】
しかも、発泡樹脂層１２ａ、１２ｂを設けた分だけ、合板製の遊技盤に比べて軽量化されている。
さらに、ベニヤ合板１０ａ、１０ｂ、１０ｃと発泡樹脂層１２ａ、１２ｂとが含まれる、上述の積層構造を採用しているので、ルータ加工にて、表示装置や入賞装置等の取り付け穴を設けることができ、合板製の遊技盤と同様に汎用性がある。
【００２１】
発泡樹脂層１２ａ、１２ｂは、ベニヤ合板１０ａ、１０ｂ、１０ｃよりも剛性が劣る傾向があるが、その表裏両側にベニヤ合板１０ａ、１０ｂ（１０ｂ、１０ｃ）を配置した構成であるから、発泡樹脂層１２ａ、１２ｂの柔軟性が遊技盤１の剛性を損なうおそれはない。
【００２２】
また、遊技盤１の表面には装飾シート（いわゆるセル）が貼着されるが、装飾シートが貼着される層をベニヤ合板１０ａにしてあるので、従来の装飾シートをそのまま使用できる。
【図面の簡単な説明】
【００２３】
【図１】実施例の遊技盤の層構造を示す断面模式図。
【符号の説明】
【００２４】
１・・・遊技盤、
１０ａ、１０ｂ、１０ｃ・・・ベニヤ合板（合板層）、
１２ａ、１２ｂ・・・発泡樹脂層。
【図１】
2006346092.tif 000003